(57)【要約】【課題】設置場所の自由度を高くするとともに機能の追加に必要な費用及び手間を軽減する。【解決手段】本実施形態のコンセントモジュール10並びに機能モジュール(表示モジュール100)は、既存の構造物である門柱の門柱本体１，１に取り付けて使用することが可能である。故に、設置場所の自由度を高くするとともに機能の追加に必要な費用及び手間を軽減することができる。【選択図】        図１
2012105375.tif 000002
【特許請求の範囲】
【請求項１】
電気自動車に充電するための充電ケーブルのプラグが挿抜自在に接続されるコンセントと、当該コンセントを収納する箱形の筐体とを備え、当該筐体は、造営材若しくは構造物に設けられる収納スペースに収納されることを特徴とする電気自動車用充電装置のモジュール。
【請求項２】
請求項１記載の電気自動車用充電装置のモジュールにおいて、コンセントに代えて所望の機能を実現するための手段が箱形の筐体に収納されてなることを特徴とする電気自動車用充電装置のモジュール。
【請求項３】
前記手段は、予め登録されている特定の利用者又は電気自動車を認証するための認証手段であることを特徴とする請求項２記載の電気自動車用充電装置のモジュール。
【請求項４】
前記手段は、コンセントが収納される筐体の扉に設けられた電気錠を制御して施錠及び解錠するための電気錠制御手段であることを特徴とする請求項２記載の電気自動車用充電装置のモジュール。
【請求項５】
前記手段は、コンセントから給電される電力で電気自動車を充電する利用者から当該充電に要した電力の料金を徴収するための電力料金徴収手段であることを特徴とする請求項２記載の電気自動車用充電装置のモジュール。
【請求項６】
前記手段は、電気自動車に搭載されている電子制御ユニットとの間でデータ通信を行うための通信手段であることを特徴とする請求項２記載の電気自動車用充電装置のモジュール。
【請求項７】
前記手段は、電気自動車に搭載されている自動料金収受システム用の車載器との間でデータ通信を行うための通信手段であることを特徴とする請求項２記載の電気自動車用充電装置のモジュール。
【請求項８】
前記手段は、ナンバープレートに表示されている自動車登録番号を認識するための認識手段であることを特徴とする請求項２記載の電気自動車用充電装置のモジュール。
【請求項９】
前記手段は、コンセントから電気自動車への給電の入切を制御するための制御手段であることを特徴とする請求項２記載の電気自動車用充電装置のモジュール。
【請求項１０】
前記手段は、電気自動車の充電に関わる種々の情報を表示するための表示手段であることを特徴とする請求項２記載の電気自動車用充電装置のモジュール。
【請求項１１】
前記表示手段は、コンセントから給電されて充電している電気自動車の充電が完了する時刻を表示することを特徴とする請求項１０記載の電気自動車用充電装置のモジュール。
【請求項１２】
前記手段は、コンセントから電気自動車に給電される電流又は電力又は時間の少なくとも何れか１つを計測するための計測手段であることを特徴とする請求項２記載の電気自動車用充電装置のモジュール。
【請求項１３】
前記手段は、任意の通信端末との間で無線通信を行うための無線通信手段であることを特徴とする請求項２記載の電気自動車用充電装置のモジュール。
【請求項１４】
前記手段は、コンセントに対して充電ケーブルのプラグが挿抜された回数を計数し、且つ当該回数が所定の上限値を超えたらメンテナンスが必要であることを報知するための報知手段であることを特徴とする請求項２記載の電気自動車用充電装置のモジュール。
【発明の詳細な説明】
【技術分野】
【０００１】
本発明は、電気自動車用充電装置のモジュールに関する。
【背景技術】
【０００２】
近年、電気自動車やプラグインハイブリッド自動車(以下では、これら２種類の自動車を合わせて「電気自動車」と呼ぶ。)が普及しつつある。そして、これらの電気自動車の普及に合わせて、電気自動車に搭載されている二次電池を充電するための電気自動車用充電装置の提供も開始され始めている。例えば、一般家庭においては、車庫に駐車している電気自動車を充電ケーブルでコンセントに接続して充電することが想定されるので、住戸の外(屋外)にコンセントが設置される必要がある。ここで、屋外にコンセントを設置するものとして、下部が地中に埋設されたポール内にコンセントを配設し、住戸内(屋内)の住宅用分電盤から分岐された給電線を前記コンセントに接続してなるコンセント装置(電源ポールとも呼ばれる。)が従来より提供されている(例えば、特許文献１参照)。特許文献１に記載されている電源ポールは、円筒状のポールの上部に扉付きのケーシングが取り付けられ、ケーシング内にコンセントが収納されて構成されており、ケーシングの扉を開いた状態でケーシング内のコンセントに充電ケーブルのプラグが差込接続される。
【先行技術文献】
【特許文献】
【０００３】
【特許文献１】特開平１０−２２３３３９号公報
【発明の概要】
【発明が解決しようとする課題】
【０００４】
ところで、電気自動車が電力のみで走行できる距離は、現状、ガソリンを燃料とする通常の自動車に比べて遙かに短い。したがって、電気自動車が本格的に普及するためには、自動車専用道路のサービスエリアや商業施設の駐車場、あるいは集合住宅の駐車場などの公共の場に不特定多数の人が利用可能な充電装置(コンセント)が多数設置される必要がある。しかしながら、特許文献１に記載されている電源ポールを電気自動車用充電装置に転用した場合、ポールとケーシングからなる筐体を用いてコンセントが設置されるため、設置場所の自由度が低いという問題がある。
【０００５】
また、電気自動車用充電装置が公共の場に設置される場合、利用者から電気料金を徴収する機能が必要となる。さらに、電気自動車用充電装置が集合住宅の駐車場に設置される場合、当該集合住宅の住人のみが使用できるように利用者(あるいは車両)を認証する機能が必要となる。しかしながら、特許文献１に記載されている電源ポールを電気自動車用充電装置に転用した場合、上述した設置場所や利用形態などに応じた機能の追加が容易では無い。つまり、必要となる機能を実現するための手段(様々な機構や電子回路など)が既存のケーシング内に収まらなければ、ケーシングの外に別途設置しなければならない。その結果、機能の追加に多大な費用と手間がかかるといった問題がある。
【０００６】
本発明は、上記課題に鑑みて為されたものであり、設置場所の自由度を高くするとともに機能の追加に必要な費用及び手間を軽減することを目的とする。
【課題を解決するための手段】
【０００７】
本発明の電気自動車用充電装置のモジュールは、電気自動車に充電するための充電ケーブルのプラグが挿抜自在に接続されるコンセントと、当該コンセントを収納する箱形の筐体とを備え、当該筐体は、造営材若しくは構造物に設けられる収納スペースに着脱自在に収納されることを特徴とする。
【０００８】
本発明の電気自動車用充電装置のモジュールは、コンセントに代えて所望の機能を実現するための手段が箱形の筐体に収納されてなることを特徴とする。
【０００９】
この電気自動車用充電装置のモジュールにおいて、前記手段は、予め登録されている特定の利用者又は電気自動車を認証するための認証手段であることが好ましい。
【００１０】
この電気自動車用充電装置のモジュールにおいて、前記手段は、コンセントが収納される筐体の扉に設けられた電気錠を制御して施錠及び解錠するための電気錠制御手段であることが好ましい。
【００１１】
この電気自動車用充電装置のモジュールにおいて、前記手段は、コンセントから給電される電力で電気自動車を充電する利用者から当該充電に要した電力の料金を徴収するための電力料金徴収手段であることが好ましい。
【００１２】
この電気自動車用充電装置のモジュールにおいて、前記手段は、電気自動車に搭載されている電子制御ユニットとの間でデータ通信を行うための通信手段であることが好ましい。
【００１３】
この電気自動車用充電装置のモジュールにおいて、前記手段は、電気自動車に搭載されている自動料金収受システム用の車載器との間でデータ通信を行うための通信手段であることが好ましい。
【００１４】
この電気自動車用充電装置のモジュールにおいて、前記手段は、ナンバープレートに表示されている自動車登録番号を認識するための認識手段であることが好ましい。
【００１５】
この電気自動車用充電装置のモジュールにおいて、前記手段は、コンセントから電気自動車への給電の入切を制御するための制御手段であることが好ましい。
【００１６】
この電気自動車用充電装置のモジュールにおいて、前記手段は、電気自動車の充電に関わる種々の情報を表示するための表示手段であることが好ましい。
【００１７】
この電気自動車用充電装置のモジュールにおいて、前記表示手段は、コンセントから給電されて充電している電気自動車の充電が完了する時刻を表示することが好ましい。
【００１８】
この電気自動車用充電装置のモジュールにおいて、前記手段は、コンセントから電気自動車に給電される電流又は電力又は時間の少なくとも何れか１つを計測するための計測手段であることが好ましい。
【００１９】
この電気自動車用充電装置のモジュールにおいて、前記手段は、任意の通信端末との間で無線通信を行うための無線通信手段であることが好ましい。
【００２０】
この電気自動車用充電装置のモジュールにおいて、前記手段は、コンセントに対して充電ケーブルのプラグが挿抜された回数を計数し、且つ当該回数が所定の上限値を超えたらメンテナンスが必要であることを報知するための報知手段であることが好ましい。
【発明の効果】
【００２１】
本発明の電気自動車用充電装置のモジュールは、設置場所の自由度を高くするとともに機能の追加に必要な費用及び手間を軽減することができるという効果がある。
【図面の簡単な説明】
【００２２】
【図１】本発明の実施形態１を示し、機能門柱に設置された状態のコンセントモジュール及び表示モジュールの斜視図である。
【図２】同上のコンセントモジュールの斜視図である。
【図３】同上のコンセントモジュールを示し、扉を開けた状態の斜視図である。
【図４】同上のコンセントモジュールを示し、扉を開けてプラグが接続された状態の斜視図である。
【図５】同上のコンセントモジュールのブロック図である。
【図６】同上の表示モジュールの外観斜視図である。
【図７】同上の表示モジュールのブロック図である。
【図８】実施形態２の機能モジュール(認証／電気錠制御モジュール)のブロック図である。
【図９】同上の認証／電気錠制御モジュールの外観斜視図である。
【図１０】同上のコンセントモジュールを示す平面断面図である。
【図１１】(ａ)は同上の認証／電気錠制御モジュールの別のブロック図、(ｂ)はコンセントモジュール、認証／電気錠制御モジュール、管理センタを含むシステム構成図である。
【図１２】実施形態３の機能モジュール(認証／電気錠制御モジュール)のブロック図である。
【図１３】同上の認証／電気錠制御モジュールの外観斜視図である。
【図１４】実施形態４の機能モジュール(認証／電気錠制御モジュール)のブロック図である。
【図１５】同上の認証／電気錠制御モジュールの外観斜視図である。
【図１６】実施形態５の機能モジュール(料金徴収モジュール)のブロック図である。
【図１７】同上の料金徴収モジュールの外観斜視図である。
【図１８】同上の料金徴収モジュールの別のブロック図である。
【図１９】同上の別のコンセントモジュールを示し、(ａ)はコイン式の錠ユニットの正面図、(ｂ)は平面断面図である。
【図２０】実施形態６の機能モジュール(メンテナンス報知モジュール)のブロック図である。
【図２１】同上のメンテナンス報知モジュールの外観斜視図である。
【図２２】同上のコンセントモジュールの平面断面図である。
【図２３】コンセントモジュールと機能モジュールと本体からなる電気自動車用充電装置を示す斜視図である。
【図２４】(ａ)は実施形態１〜６の機能モジュールが柱の収納スペースに収納される場合の斜視図、(ａ)は実施形態１〜６の機能モジュールが壁の収納スペースに収納される場合の斜視図である。
【発明を実施するための形態】
【００２３】
以下、本発明に係る電気自動車用充電装置のモジュールの実施形態について、図面を参照して詳細に説明する。但し、以下に説明する各実施形態では、住戸の玄関に設置される門柱の中に筐体が収納される場合を例示するが、モジュールの筐体が収納される対象は門柱に限定されず、その他の構造物若しくは壁などの造営材も含まれる。
【００２４】
(実施形態１)
本実施形態のモジュールは、電気自動車に充電するための充電ケーブル90のプラグ91が挿抜自在に接続されるコンセントと、コンセントを収納する箱形の筐体11とを備えるコンセントモジュール10、並びに電気自動車の充電に関わる種々の情報(例えば、瞬時電力や積算電力量、充電時間など)を表示する手段を備えた表示モジュール100である。ここで、コンセントモジュール10は電気自動車用充電装置を構成するために必須のモジュールであって、コンセントモジュール10のみで電気自動車用充電装置が構成される場合もある。一方、表示モジュール100はコンセントモジュール10と組み合わされることで電気自動車用充電装置に種々の機能を追加するためのモジュール(以下、総称して「機能モジュール」と呼ぶ。)である。つまり、表示モジュール100(機能モジュール)は、単独では電気自動車用充電装置を構成することができず、常にコンセントモジュール10(又はコンセントモジュール10及び他の機能モジュール)と組み合わされることで電気自動車用充電装置を構成する。したがって、本実施形態ではコンセントモジュール10と表示モジュール100とで電気自動車用充電装置が構成されることになる。
【００２５】
ここで、本実施形態の電気自動車用充電装置が設置される門柱について説明する。この門柱は機能門柱と称されるもので、図１に示すように下部が地面(図示せず)に埋められて起立した状態で設置される一対の門柱本体１，１と、門柱本体１，１に挟まれた空間(収納スペース)に収納される１乃至複数の設備ユニットとを備える(例えば、特開２００８-２８０７５７号公報参照)。なお、左右方向に対向して設置された一対の門柱本体１，１の上端部には、扁平な箱形に形成された本体カバー２が取り付けられる。さらに、門柱本体１，１の下部内側面には平板状の補強部材３が取り付けられており、本体カバー２と補強部材３とで一対の門柱本体１，１が相互に位置決めされる。
【００２６】
図１に示した設備ユニットは、インターホンシステムのインターホン子機60と新聞や郵便物などを受け取るためのポスト(郵便受け)70である。インターホン子機60は、門柱本体１，１の対向面にねじ止めされる箱形の取付ベース61の前面に設置される。また、ポスト70は、門柱本体１より前後方向の奥行き寸法が大きい金属製の箱体からなり、左右両側の側壁が門柱本体１，１の対向面にねじ止めされている。
【００２７】
ここで、門柱本体１の内側面における下部には、長孔の配線導入口1A，1Aが前後方向に並べて設けられており、門柱本体１の内部空間に収納されている樹脂製の電線管(図示せず)の下端部が何れか一方の配線導入口1Aから導入される。そして、配線導入口1Aから導入される電線管の下端部と、地中に埋設された電線管(図示せず)の端部とがジョイント(図示せず)によって結合される。なお、これらの電線管には、インターホン子機60に接続される通話線やコンセントモジュール10のコンセントに接続される給電線(電源ケーブル)が挿通される。
【００２８】
コンセントモジュール10は、図２〜図４に示すように筐体11、コンセントブロック12、扉13、天井カバー15などを具備している。筐体11は、金属板により前面に開口窓11Aを有する箱形に形成されている。扉13は扁平な矩形箱状に形成されており、開口窓11Aを塞ぐ閉位置と開口窓11Aを開放する開位置との間で水平方向(前後方向)に回動自在となるように、ヒンジ部13Aによって左側端部が筐体11の前面側左端部に軸支されている。また、扉13にはロック装置16が取着されており、閉位置にあるときにロック装置16によって扉13がロックされる。なお、扉13の下端部における左右方向の中央部には、充電ケーブル90が引き出される切り欠き(引出口)13Bが形成されている。
【００２９】
コンセントブロック12は、前面に差込口が設けられたコンセント(図示せず)と、コンセントを保持し且つコンセントの前面を覆うコンセントプレート12Aと、コンセントプレート12Aの中央に開口するプラグ挿入口12Bを開閉自在に塞ぐコンセントカバー12Cとを有する。コンセントプレート12Aは、プラグ挿入口12Bが開口する中央部分が前方へ突出し、当該中央部の左右両端部にそれぞれねじ挿通孔12Dが形成されている。コンセントカバー12Cは略半円板状に形成され、直線部分においてコンセントプレート12Aの中央部分に回動自在に軸支される。つまり、コンセントカバー12Cは、コンセントプレート12Aのプラグ挿入口12Bを覆う閉位置と、プラグ挿入口12Bを開放する開位置との間で回動し、さらに図示しないねじりコイルばねのばね力によって開位置から閉位置に向かう向きに弾性付勢されている。なお、コンセントプレート12Aの内側面には、充電ケーブル90の先端に設けられているプラグ91の被係合部(図示しない)と係合する係合部12Eが設けられており、コンセントの差込口に差込接続されたプラグ91が、係合部12Eと被係合部との係合によって抜け止めされる(図４参照)。
【００３０】
コンセントブロック12は、筐体11内部における上部後方に配設されている取付板11Bに対して、左右両端部のねじ挿通孔12Dに挿通されるねじ(図示せず)によってねじ止めされる。ここで、取付板11Bは、後方に向かって徐々に下方へ下がるように傾いて配設されている。そのため、コンセントの差込口も水平面(前後左右を含む平面)に対して下向きに傾いて配置されている。また、筐体11内部の底板(内底板)11Cは、後方に向かって徐々に上方へ上がるように傾けられている(図３参照)。つまり、開口窓11Aを通して筐体11に浸入した雨水が、前方に向かって傾斜する内底板11Cを伝って開口窓11Aから筐体11の外へ排水されるようになっている。
【００３１】
また、コンセントモジュール10にはインターロック装置が設けられており、このインターロック装置によって、扉13が閉位置にないときはコンセントへの通電がオフされ、扉13が閉位置にあるときにだけコンセントへの通電がオンされる。このようなインターロック装置は従来周知であって、扉13の後面から後方へ突出する駆動片13Cによって押駆動されるアクチュエータ17を有しており、扉13が閉位置にあるときにアクチュエータ17が駆動片13Cに押駆動されてコンセントへの給電路を閉成し、扉13が閉位置にないときはアクチュエータ17が駆動片13Cに押駆動されないことでコンセントへの給電路を開成する。
【００３２】
ところで、筐体11の背面側にはコンセントへの給電線(図示せず)が配線される空間(配線スペース)が設けられる。この配線スペースは、筐体11の背面にねじ止めされる矩形箱状の配線カバー(図示せず)によって形成される。
【００３３】
天井カバー15は下面が開口する箱形に形成され、筐体11及び配線カバーの天面(上面)を覆うように筐体11に取り付けられる。天井カバー15の配線カバーを覆う部位には、給電線を配線スペースに引き込むための入線口(図示せず)が設けられている。但し、天井カバー15における入線口の周囲には、上向きに立ち上がる壁15Aが突設されている。また、天井カバー15の上面には左右方向に沿った複数条の突起15Bが前後方向に列設されており、前方から浸入した雨水が後方へ移動するのを突起15Bが妨げている。
【００３４】
さらに、コンセントモジュール10は、図５に示すようにコンセントを通じて電気自動車に供給される電力(充電電力)を計測する電力計測部21と、マイクロコンピュータとその周辺回路(メモリやタイマなど)で構成される制御部22と、機能モジュールとの間でデータ伝送を行うためのデータ伝送部23とを備えている。
【００３５】
電力計測部21は、コンセントから電気自動車に供給される瞬時電力及び積算電力量を計測し、それぞれの計測値を制御部22に出力する。また、データ伝送部23は、RS-485などの周知のデータ伝送規格に準拠してデータ伝送を行うものであって、通信ケーブル(図示せず)からなるデータ伝送路を介して、後述する機能モジュールのデータ伝送部との間でデータ伝送を行う。
【００３６】
制御部22は、電力計測部21で計測される瞬時電力や積算電力量の計測値をメモリに記憶するとともに、メモリに記憶された計測値を読み出してデータ伝送部23から機能モジュールへ伝送(送信)させる。ここで、制御部22から伝送される情報は瞬時電力や積算電力量だけではなく、例えば、電気自動車の充電容量が既知であれば、当該充電容量と積算電力量の計測値とから算出される充電時間(満充電になって充電が完了するまでに要する時間)や、電気自動車の充電が完了する時刻であっても構わない。
【００３７】
上述のように構成されるコンセントモジュール10は、図示しない取付具を用いて一対の門柱本体１，１の内側面に取り付けられて収納スペースに配設される。すなわち、門柱本体１の内側面に取付具が取り付けられた後、コンセントモジュール10が前方から収納スペースに収納される。そして、取付具と筐体11がねじ止めされることにより、コンセントモジュール10が門柱本体１，１に取り付けられる。なお、コンセントモジュール10の筐体11背面に設けられている配線スペースに、電源ケーブル用の端子台(図示せず)とデータ伝送路(通信ケーブル)用の端子台(図示せず)が配設されている。
【００３８】
一方、表示モジュール100は、図６に示すようにコンセントモジュール10の筐体11とほぼ共通の外形及び寸法を有した箱形の筐体101内に、制御部110、表示部111、操作入力受付部112、データ伝送部113などが収納されて構成される(図７参照)。
【００３９】
表示部111は、液晶パネルや有機ＥＬパネルなどの表示デバイス111Aと、表示デバイス111Aを駆動して文字や記号や画像などを表示させるドライバ回路(図示せず)とを有する。操作入力受付部112は、表示デバイス111Aの画面上に配置される透明なタッチパネルと、タッチパネルを駆動し且つ操作位置を検出するドライバ回路(図示せず)とを有する。
【００４０】
制御部110は、マイクロコンピュータとその周辺回路(メモリやタイマなど)で構成される。またデータ伝送部113は、コンセントモジュール10のデータ伝送部23と同一のデータ伝送規格に準拠してデータ伝送を行う。
【００４１】
一方、表示モジュール100の筐体101は、透明なタッチパネルの操作面を通して表示デバイス111Aの画面が前面中央に露出している。また、筐体101背面の配線スペースには電源ケーブル用の端子台(図示せず)とデータ伝送路(通信ケーブル)用の端子台(図示せず)が配設されている。
【００４２】
上述のように構成される表示モジュール100は、コンセントモジュール10と同様に門柱本体１，１間の収納スペース内に収納されて門柱本体１，１に固定される。
【００４３】
次に、表示モジュール100の動作(機能)を詳しく説明する。表示デバイス111Aの画面(タッチパネルの操作面)に人の指が触れると、制御部110が表示部111を起動して表示デバイス111Aにメニュー画面を表示させる。このメニュー画面では、電気自動車の充電に関わる種々の情報(例えば、瞬時電力や積算電力量、充電時間など)を選択するための釦(選択釦)が表示される。そして、いずれかの選択釦、例えば、積算電力量を選択するための選択釦がタッチ操作されると、操作入力受付部112で当該選択釦の操作入力が受け付けられて制御部110に操作入力信号が出力される。操作入力信号を受け取った制御部110は、選択された情報(積算電力量)を要求するコマンドをデータ伝送部113よりコンセントモジュール10のデータ伝送部23へ伝送させる。
【００４４】
コンセントモジュール10では、データ伝送部23で前記コマンドが受信されると、当該コマンドに従って、制御部22がメモリに記憶されている最新の積算電力量の計測値をデータ伝送部23から表示モジュール100のデータ伝送部113へ伝送させる。
【００４５】
表示モジュール100では、データ伝送部23で受信される積算電力量の計測値を制御部110に渡し、制御部110が表示部111を制御して当該積算電力量の計測値を表示デバイス111Aの画面に表示させる。
【００４６】
上述のように本実施形態のコンセントモジュール10並びに機能モジュール(表示モジュール100)は、既存の構造物である門柱の門柱本体１，１に取り付けて使用可能であるから、設置場所の自由度を高くするとともに機能の追加に必要な費用及び手間を軽減することができる。
【００４７】
ところで、表示モジュール100で表示可能な情報は、上述した瞬時電力や積算電力量、充電時間などのコンセントモジュール10で計測される情報に限定されるものではない。例えば、電気自動車用充電装置の利用時間(電気自動車の充電に利用される時間)が予約可能な場合、予約された利用時間(予約時間)や予約した人(利用者)の識別情報(予め予約サービスに登録した利用者に割り当てられるＩＤ情報)などを表示モジュール100で表示することも可能である。あるいは、電気自動車に搭載されている電子制御ユニット(ECU)との間でデータ通信を行うための通信手段を表示モジュール100に備え、通信手段を利用して電気自動車の電子制御ユニットから取得する情報、例えば、走行距離数や燃費などの情報を表示することも可能である。この場合、前記通信手段を有する機能モジュール(通信モジュール)が表示モジュール100とは別に構成されても構わない。
【００４８】
また、任意の通信端末(例えば、携帯電話機)との間で無線通信を行うための無線通信手段を有する機能モジュール(無線通信モジュール)を表示モジュール100と連携させてもよい。すなわち、表示モジュール100で表示される情報が無線通信モジュールから携帯電話機などの通信端末に送信され、携帯電話機の液晶画面に当該情報が表示されれば、充電スタンドから離れた場所で情報を見ることができて利便性が向上する。
【００４９】
(実施形態２)
実施形態１におけるコンセントモジュール10の扉13にはロック装置16が設けられているが、このロック装置16は一般的な鍵を用いて施解錠されるものである。しかしながら、このような鍵は容易に合鍵を作成することができるため、不正に作成された合鍵でロック装置16が解錠され、無断で電気自動車が充電(盗電)される虞がある。
【００５０】
そこで、本実施形態ではコンセントモジュール10のロック装置16が電気錠30に置き換えられ、この電気錠30を施錠及び解錠するための電気錠制御手段を有する機能モジュールがコンセントモジュール10とともに門柱本体１の収納スペースに収納されている。
【００５１】
電気錠30は、図10に示すように扁平な箱形に形成されたケース31と、ケース31の背面より引き出された信号線32と、ケース31の上面より可動鉄心を進退自在に突出させる電磁ソレノイド(図示せず)とを有し、コンセントモジュール10の筐体11内に設置される。信号線32は、筐体11の背面に設けられている信号用の端子台40に接続されている。
【００５２】
一方、扉13には、ケース31から進出する電磁ソレノイドの可動鉄心と嵌合する嵌合孔13Dが設けられており、この嵌合孔13Dに可動鉄心が嵌合することで電気錠30が施錠され、電磁ソレノイドの可動鉄心がケース31内に退避して嵌合孔13Dと嵌合しないことで電気錠30が解錠される。なお、電磁ソレノイドは信号線32を介して入力される制御信号(後述する)に応じて駆動(励磁)される。
【００５３】
一方、本実施形態の機能モジュールは、予め登録されている特定の利用者を認証する認証手段と、認証手段の認証結果に応じて電気錠30を制御(施解錠)するための電気錠制御手段とを備えた認証／電気錠制御モジュール200である。この認証／電気錠制御モジュール(以下、「認証制御モジュール」と略す。)200は、図９に示すようにコンセントモジュール10の筐体11とほぼ共通の外形及び寸法を有した箱形の筐体201内に、制御部210、ID情報取得部211、ID照合部212、データ伝送部213などが収納されて構成される(図８参照)。
【００５４】
ID情報取得部211は、例えば、ICカードに記録されているID情報を読み取る非接触型のICカードリーダからなり、筐体201前面の中央部に設けられているアンテナ211AにICカード(カードキー)が近付けられると、当該カードキーからID情報を読み取る。ここで、カードキーに記録されているID情報は、例えば、利用者に割り当てられた識別符号(英文字と数字の組み合わせなど)である。
【００５５】
ID照合部212は、利用者に正規に割り当てられた１乃至複数の識別符号をメモリに記憶しており、ID情報取得部211で取得されたID情報(識別符号)をメモリに記憶している正規の識別符号と照合し、その照合結果を制御部210に出力する。
【００５６】
制御部210は、マイクロコンピュータとその周辺回路(メモリやタイマなど)で構成され、ID照合部212から受け取る照合結果に応じて電気錠30を制御するためのコマンドを作成し、作成したコマンドをデータ伝送部213から伝送(送信)させる。データ伝送部213は、電気錠30が準拠しているデータ伝送規格(例えば、RS-485など)に準拠してデータ伝送を行う。
【００５７】
一方、認証制御モジュール200の筐体201は、その背面側の配線スペースに電源ケーブル用の端子台(図示せず)とデータ伝送路(通信ケーブル)用の端子台(図示せず)が配設されている。
【００５８】
上述のように構成される認証制御モジュール200は、コンセントモジュール10や表示モジュール100と同様に門柱本体１，１間の収納スペース内に収納されて門柱本体１，１に固定される。
【００５９】
次に、認証制御モジュール200の動作(機能)を詳しく説明する。コンセントモジュール10においては、原則として扉13が閉位置にあるときは電気錠30が施錠されている。したがって、電気自動車を充電しようとする利用者は、初めにカードキーを用いてコンセントモジュール10の電気錠30を解錠しなければならない。そこで、利用者が認証制御モジュール200の筐体201前面に設けられているアンテナ211Aにカードキーを近付けると、ID情報取得部211がカードキーから当該利用者のID情報(識別符号)を読み取ってID照合部212に渡す。ID照合部212がID情報取得部211で取得した識別符号と正規の識別符号を照合し、正規の識別符号に一致すれば、認証可の照合結果を制御部210に出力するが、正規の識別符号に一致しなければ、認証不可の照合結果を制御部210に出力する。制御部210は、ID照合部212から受け取る照合結果が「認証可」であれば、電気錠30を解錠するためのコマンドを作成してデータ伝送部213から伝送させ、照合結果が「認証不可」であれば解錠のコマンドを作成しない。
【００６０】
コンセントモジュール10では、前記コマンドを受け取った電気錠30が電磁ソレノイドを駆動して可動鉄心をケース31内に退避させることで解錠する。故に、利用者は扉13を開けて充電ケーブル90のプラグ91をコンセント20の差込口に差込接続し、電気自動車を充電することができる。なお、利用者がプラグ91をコンセント20に接続して扉13を閉じた後、カードキーをアンテナ211Aにカードキーを近付ければ、上述した手順で識別符号が認証されて電気錠30が施錠される。
【００６１】
上述のように本実施形態の機能モジュール(認証制御モジュール200)では、正規の利用者を認証するとともに認証可である場合にコンセントモジュール10の電気錠30を制御して解錠させることができ、認証機能と電気錠30の制御機能の追加に必要な費用及び手間を軽減することができる。なお、利用者の個人認証は上述したICカード(カードキー)による認証に限らず、例えば、利用者の生体情報(指紋や声紋など)を利用した生体認証を用いることも可能である。また、本実施形態では認証機能と電気錠制御機能を併せ持った機能モジュールを例示したが、各機能を単独で持つ機能モジュール(認証モジュールと電気錠制御モジュール)としても構わない。
【００６２】
ここで、多数の充電スタンドの利用状況や利用予約、利用者のID情報などを管理センタＳで一元的に管理するシステムが構築されていると仮定する(図11(ｂ)参照)。このとき、認証制御モジュール200には、図11(ａ)に示すようにネットワーク(インターネット)NWを通じて管理センタＳとの間で通信を行うネットワーク通信部214が設けられる。そして、このネットワーク通信部214が管理センタＳとネットワーク通信することにより、管理センタＳで管理されている正規のID情報を認証制御モジュール200の制御部210で取得し、制御部210が取得する正規のID情報を用いてID照合部212で照合することができる。
【００６３】
なお、認証制御モジュール200において、電気錠30の制御とともに、あるいは電気錠30の制御に代えて、コンセントモジュール10のコンセント20から電気自動車への給電の入切を制御するようにしてもよい。例えば、図11(ｂ)に示すように電源ケーブルからコンセント20への給電路を開閉する電磁リレー24がコンセントモジュール10に設けられているとする。認証制御モジュール200の制御部210は、管理センタＳとのネットワーク通信で取得した正規のID情報により認証可となった場合、データ伝送部213から給電開始の制御コマンドを伝送させる。コンセントモジュール10では、データ伝送部23で前記制御コマンドが受信されると、当該制御コマンドに従って制御部22が電磁リレー24を制御して給電路を閉成することでコンセント20から電気自動車への給電を入切することができる。
【００６４】
(実施形態３)
本実施形態の機能モジュールは、予め登録されている特定の電気自動車を認証する認証手段と、認証手段の認証結果に応じて電気錠30を制御(施解錠)するための電気錠制御手段とを備えた認証／電気錠制御モジュール300である。但し、コンセントモジュール10の構成は実施形態２と共通であるから、図示並びに説明は省略する。
【００６５】
本実施形態の認証／電気錠制御モジュール(以下、認証制御モジュールと略す。)300は、図13に示すようにコンセントモジュール10の筐体11とほぼ共通の外形及び寸法を有した箱形の筐体301内に、制御部310、撮像部311、画像処理部312、データ伝送部313などが収納されて構成される(図12参照)。
【００６６】
撮像部311は、CCDイメージセンサやCMOSイメージセンサなどの固体撮像素子、レンズ311A、映像処理回路などで構成される。画像処理部312は、撮像部311で撮像される画像に対して、テンプレートマッチングなどの従来周知の画像処理を行うことで電気自動車のナンバープレートに記されている自動車登録番号を認識し、その認識結果(自動車登録番号)を制御部310に出力する。
【００６７】
制御部310は、マイクロコンピュータとその周辺回路(メモリやタイマなど)で構成され、画像処理部312から受け取る自動車登録番号と、メモリに記憶されている正規の自動車登録番号とを照合する。なお、正規の自動車登録番号とは、事前に登録手続がされている自動車登録番号である。また、データ伝送部313は、電気錠30が準拠しているデータ伝送規格(例えば、RS-485など)に準拠してデータ伝送を行う。
【００６８】
一方、認証制御モジュール300の筐体301は、その背面側の配線スペースに電源ケーブル用の端子台(図示せず)とデータ伝送路(通信ケーブル)用の端子台(図示せず)が配設され、前面には撮像部311のレンズ311Aを前方へ臨ませるための窓孔302が開口している。
【００６９】
次に、認証制御モジュール300の動作(機能)を詳しく説明する。電気自動車が駐車スペースに駐車されると、当該電気自動車のナンバープレートが撮像部311で撮像され、撮像されたナンバープレートの画像が画像処理部312に渡される。画像処理部312ではナンバープレートの画像から自動車登録番号を認識し、認識した当該自動車登録番号を制御部310に渡す。制御部310は、画像処理部312で認識された自動車登録番号とメモリに記憶している正規の自動車登録番号を照合し、正規の自動車登録番号に一致すれば、認証可と判断して電気錠30を解錠するためのコマンドを作成してデータ伝送部213から伝送させる。一方、画像処理部312で認識された自動車登録番号が正規の自動車登録番号に一致しなければ、認証不可と判断して電気錠30を解錠するためのコマンドを作成しない。
【００７０】
コンセントモジュール10では、前記コマンドを受け取った電気錠30が電磁ソレノイドを駆動して可動鉄心をケース31内に退避させることで解錠する。故に、利用者は扉13を開けて充電ケーブル90のプラグ91をコンセント20の差込口に差込接続し、電気自動車を充電することができる。
【００７１】
上述のように本実施形態の機能モジュール(認証制御モジュール300)では、正規の自動車登録番号を認証するとともに認証可である場合にコンセントモジュール10の電気錠30を制御して解錠させることができ、認証機能と電気錠30の制御機能の追加に必要な費用及び手間を軽減することができる。しかも、実施形態２ではICカード(カードキー)を忘れたり、紛失することによって電気錠30が解錠できなくなる虞があるが、本実施形態では利用者がICカードなどの鍵の代わりとなるものを持つ必要がないので、電気錠30が解錠できなくなる虞はほとんどない。
【００７２】
なお、本実施形態の認証制御モジュール300においても、実施形態２と同様にネットワーク通信部が設けられ、ネットワーク通信部が管理センタとネットワーク通信することにより、管理センタで管理されている正規の自動車登録番号を認証制御モジュール300の制御部310で取得することも可能である。
【００７３】
(実施形態４)
実施形態３の認証制御モジュール300では、ナンバープレートの撮像画像から画像処理によって自動車登録番号を認識しているが、この場合、夜間やナンバープレートが汚れているときなどに認識精度が低下する虞がある。一方、最近は自動料金収受(ＥＴＣ)システム用の車載器(以下、ＥＴＣ車載器と呼ぶ。)の搭載率が増加しているが、このＥＴＣ車載器には、搭載される自動車の自動車登録番号を含む車両情報が内蔵のメモリにセットアップ(記憶)されている。したがって、ＥＴＣ車載器との間で無線通信を行って自動車登録番号を取得すれば、画像処理によって自動車登録番号を認識する方法に比べて、簡単且つ正確に自動車登録番号を取得することができる。
【００７４】
そこで、本実施形態の機能モジュール(認証／電気錠制御モジュール400)では、電気自動車に搭載されているＥＴＣ車載器との間でデータ通信を行うための通信手段と、予め登録されている特定の電気自動車を認証する認証手段と、認証手段の認証結果に応じて電気錠30を制御(施解錠)するための電気錠制御手段とを備えている。但し、コンセントモジュール10の構成は実施形態２と共通であるから、図示並びに説明は省略する。
【００７５】
本実施形態の認証／電気錠制御モジュール(以下、認証制御モジュールと略す。)400は、図15に示すようにコンセントモジュール10の筐体11とほぼ共通の外形及び寸法を有した箱形の筐体401内に、制御部410、無線通信部411、データ伝送部412などが収納されて構成される(図14参照)。
【００７６】
無線通信部411は、ＥＴＣ車載器の無線通信方式(振幅シフトキーイングを使ったDSRC<Dedicated Short Range Communication：専用狭域通信>方式)によって無線通信を行い、ＥＴＣ車載器から電気自動車のID情報(自動車登録番号)を取得して制御部410に出力する。
【００７７】
制御部410は、マイクロコンピュータとその周辺回路(メモリやタイマなど)で構成され、無線通信部411から受け取る自動車登録番号と、メモリに記憶されている正規の自動車登録番号とを照合する。また、データ伝送部412は、電気錠30が準拠しているデータ伝送規格(例えば、RS-485など)に準拠してデータ伝送を行う。
【００７８】
一方、認証制御モジュール400の筐体401は、その背面側の配線スペースに電源ケーブル用の端子台(図示せず)とデータ伝送路(通信ケーブル)用の端子台(図示せず)が配設され、前面には無線通信部411のアンテナ411Aが設けられている。
【００７９】
次に、認証制御モジュール400の動作(機能)を詳しく説明する。電気自動車が駐車スペースに駐車されると、無線通信部411が当該電気自動車に搭載されているＥＴＣ車載器から無線通信によって自動車登録番号を取得し、取得した当該自動車登録番号を制御部410に渡す。制御部410は、無線通信部411で取得された自動車登録番号とメモリに記憶している正規の自動車登録番号を照合し、正規の自動車登録番号に一致すれば、認証可と判断して電気錠30を解錠するためのコマンドを作成してデータ伝送部213から伝送させる。一方、無線通信部411で取得された自動車登録番号が正規の自動車登録番号に一致しなければ、認証不可と判断して電気錠30を解錠するためのコマンドを作成しない。
【００８０】
コンセントモジュール10では、前記コマンドを受け取った電気錠30が電磁ソレノイドを駆動して可動鉄心をケース31内に退避させることで解錠する。故に、利用者は扉13を開けて充電ケーブル90のプラグ91をコンセント20の差込口に差込接続し、電気自動車を充電することができる。
【００８１】
上述のように本実施形態の機能モジュール(認証制御モジュール400)では、正規の自動車登録番号を認証するとともに認証可である場合にコンセントモジュール10の電気錠30を制御して解錠させることができ、認証機能と電気錠30の制御機能の追加に必要な費用及び手間を軽減することができる。しかも、実施形態２ではICカード(カードキー)を忘れたり、紛失することによって電気錠30が解錠できなくなる虞があるが、本実施形態では利用者がICカードなどの鍵の代わりとなるものを持つ必要がないので、電気錠30が解錠できなくなる虞はほとんどない。さらに、ナンバープレートの撮像画像から画像処理によって自動車登録番号を認識する場合と比較して、簡単且つ正確に自動車登録番号を取得することができる。
【００８２】
なお、本実施形態の認証制御モジュール400においても、実施形態２，３と同様にネットワーク通信部が設けられ、ネットワーク通信部が管理センタとネットワーク通信することにより、管理センタで管理されている正規の自動車登録番号を認証制御モジュール400の制御部410で取得することも可能である。
【００８３】
(実施形態５)
本実施形態の機能モジュールは、コンセントモジュール10のコンセント20から給電される電力で電気自動車を充電する利用者から当該充電に要した電力の料金を徴収するための電力料金徴収手段を有した料金徴収(料金決済)モジュール500である。但し、コンセントモジュール10の構成は実施形態２と共通であるから、図示並びに説明は省略する。
【００８４】
この料金徴収モジュール500は、図17に示すようにコンセントモジュール10の筐体11とほぼ共通の外形及び寸法を有した箱形の筐体501内に、制御部510、カード情報取得部511、ネットワーク通信部512、データ伝送部513などが収納されて構成される(図16参照)。
【００８５】
カード情報取得部511は、クレジットカードからカード番号やカード契約者などのカード情報を読み取るとともに、読み取ったカード情報を制御部510に出力する。但し、カード情報取得部511は、クレジットカードの磁気記録部(磁気ストライプ)からカード情報を読み取る読取装置と、クレジットカード(ICカード)のICチップからカード情報を読み取る読取装置とを双方とも具備することが望ましい。
【００８６】
ネットワーク通信部512は、インターネットや公衆電話回線網などのネットワークを介してデータ通信を行うためのモデムである。制御部510は、マイクロコンピュータとその周辺回路(メモリやタイマなど)で構成され、カード情報取得部511から受け取るカード情報を用いて電気料金の徴収(決済)を行う。また、データ伝送部513は、電気錠30が準拠しているデータ伝送規格(例えば、RS-485など)に準拠してデータ伝送を行う。
【００８７】
一方、料金徴収モジュール500の筐体501は、その背面側の配線スペースに電源ケーブル用の端子台(図示せず)とデータ伝送路(通信ケーブル)用の端子台(図示せず)とネットワーク通信用の端子台(図示せず)が配設され、前面にはカード情報取得部511のカード挿入口511Aが設けられている。
【００８８】
次に、料金徴収モジュール500の動作(機能)を詳しく説明する。電気自動車の充電が終了した後、利用者が自己のクレジットカードをカード挿入口511Aに挿入すると、カード情報取得部511が当該クレジットカードからカード情報を取得して制御部510に出力する。一方、制御部510は、データ伝送部513からコマンドを送信してコンセントモジュール10から充電に使用された電力量(積算電力量)の計測値を取得するとともに、取得した電力量に対応する電気料金を算出する。さらに制御部510は、算出した電気料金の値と、カード情報取得部511から受け取ったカード情報とを暗号化した上でネットワーク通信部512から当該クレジットカードの発行元(クレジットカード会社)のサーバに送信させる。
【００８９】
クレジットカード会社のサーバでは、料金徴収モジュール500から受け取ったカード情報を、データベースに登録されているカード契約者のカード情報と照合し、カード契約者のカード情報に一致すれば、料金徴収モジュール500から受け取った電気料金を当該カード情報が一致した(認証された)クレジットカードで決済する。一方、カード契約者のカード情報に一致しなければ、サーバはクレジットカードでの決済を行わない。そして、クレジットカード会社のサーバは、クレジットカードによる決済(料金徴収)の結果(既済又は未済)をネットワーク経由で料金徴収モジュール500に返信する。サーバから返信された決済(料金徴収)の結果は、ネットワーク通信部512で受信されて制御部510に渡される。
【００９０】
制御部510は、ネットワーク通信部512を通じてクレジットカード会社のサーバから受け取った決済の結果が既済であれば、電気錠30を解錠するためのコマンドを作成してデータ伝送部213から伝送させる。一方、決済の結果が未済であれば、制御部510は電気錠30を解錠するためのコマンドを作成しない。
【００９１】
コンセントモジュール10では、前記コマンドを受け取った電気錠30が電磁ソレノイドを駆動して可動鉄心をケース31内に退避させることで解錠する。故に、利用者は扉13を開けて充電ケーブル90のプラグ91をコンセント20の差込口から引き抜くことができる。
【００９２】
上述のように本実施形態の機能モジュール(料金徴収モジュール500)では、コンセントモジュール10のコンセント20から給電される電力で電気自動車を充電した利用者から当該充電に要した電気料金を徴収することができ、電気料金の徴収機能の追加に必要な費用及び手間を軽減することができる。
【００９３】
なお、電気料金の徴収は必ずしもクレジットカード決済で行われる必要は無く、現金(硬貨及び紙幣)で決済されても構わない。例えば、図18に示すようにカード情報取得部511に代えて現金計数部514を料金徴収モジュール500に備え、筐体501前面に設けられる現金投入口に投入される紙幣(又は紙幣と硬貨)を現金計数部514で計数し、制御部510にて決済するようにしても構わない。
【００９４】
あるいは、コンセントモジュール10に電気料金徴収手段を設けてもよい。例えば、図19に示すように、コインロッカーに用いられるコイン式の錠ユニット40が筐体11に設置され、錠ユニット40の硬貨投入口41から電気料金分の硬貨が投入されたときに錠ユニット40が解錠するようにすればよい。但し、このようなコイン式の錠ユニット40では定額の料金しか徴収できないので、１回の充電における電気料金が定額に設定されることが必要である。
【００９５】
(実施形態６)
ところで、コンセントモジュール10のコンセント20へのプラグ91の抜き差しが繰り返されるうちに、コンセント20の刃受が劣化してプラグ91の保持力が低下する虞がある。また、コンセントカバー12Cの開閉が繰り返されるうちに、コンセントカバー12Cを弾性付勢しているねじりコイルばねが劣化してコンセントカバー12Cが閉位置に復帰しなくなる虞がある。したがって、コンセントモジュール10のコンセント20やコンセントカバー12Cなどは、例えば、使用回数(挿抜回数や開閉回数)が規定値に達したら補修(メンテナンス)作業が必要である。
【００９６】
そこで本実施形態の機能モジュールは、コンセントモジュール10のコンセント20に対して充電ケーブル90のプラグ91が挿抜された回数を計数し、且つ挿抜回数が所定の上限値を超えたらメンテナンスが必要であることを報知するための報知手段を有している。
【００９７】
この機能モジュール(メンテナンス報知モジュール)600は、図21に示すようにコンセントモジュール10の筐体11とほぼ共通の外形及び寸法を有した箱形の筐体601内に、制御部610、報知部611、データ伝送部612などが収納されて構成される(図20参照)。報知部611は、発光素子(発光ダイオード)と、発光素子を発光させる発光回路とを有し、筐体601前面に設けられた窓孔602を通して発光素子の発する光が筐体601の前方に照射される。
【００９８】
制御部610は、マイクロコンピュータとその周辺回路(メモリやタイマなど)で構成され、コンセント20に対するプラグ91の挿抜回数を計数し、且つ挿抜回数が上限値に達したら報知部611を制御して発光素子を発光させることでメンテナンス作業が必要であることを報知する。またデータ伝送部612は、後述するコンセントモジュール10の出力回路51から出力される伝送信号を受信する。
【００９９】
ところで、メンテナンス報知モジュール600の制御部610がプラグ91の挿抜回数を計数するために、市販のリミットスイッチ50とリミットスイッチ50のオン・オフ状態をデータ伝送部612に出力(送信)する出力回路51とがコンセントモジュール10のコンセントブロック12に設けられている(図22参照)。つまり、コンセント20にプラグ91が接続されるとリミットスイッチ50がオンとなり、コンセント20からプラグ91が抜かれるとリミットスイッチ50がオフとなるので、出力回路51から出力されるオン・オフの状態に基づいて制御部610で挿抜回数を計数できる。
【０１００】
而して、コンセントモジュール10のコンセント20に対するプラグ91の挿抜回数が上限値を超えると、メンテナンス報知モジュール600の制御部610が報知部611の発光素子を発光させてメンテナンス作業が必要であることを報知する。つまり、本実施形態のメンテナンス報知モジュール600によれば、電気自動車用充電装置を管理する管理者に対してコンセントモジュール10のメンテナンス作業が必要になったことを自動的に報知できる。その結果、メンテナンス作業がされないままでコンセントモジュール10が使用され続けることを防ぐことができる。
【０１０１】
ところで、上述した実施形態１〜６では、機能門柱の門柱本体１，１間の収納スペースに収納される構造であるため、コンセントモジュール10の筐体11と、機能モジュールの筐体とが共通の形状及び寸法に形成されている。したがって、図23に示すように前面が開口した縦長の箱状に形成された本体80内に、共通の形状及び寸法に形成されている筐体11，101，201，501，…が収納されれば、コンセントモジュール10と１乃至複数の機能モジュールと本体80からなる電気自動車用充電装置(充電スタンド)が構成できる。
【０１０２】
また、図24に示すように機能モジュール(図示例では、表示モジュール200)は、柱700に設けられる収納スペース701や壁710に設けられる収納スペース711に収納される場合もある。但し、図24に示すコンセントモジュール800は、実施形態１で説明したコンセントモジュール10と筐体の形状が異なり且つ柱700や壁710の表面に露出した状態で取り付けられる。ここで、コンセントモジュール800と機能モジュール(表示モジュール200)との間のデータ伝送は、柱700や壁710の内部に配線される信号線を介して行われるか、あるいは電波を利用した無線通信で行われる。なお、実施形態１で説明したコンセントモジュール10が柱700の収納スペース701や壁710の収納スペース711に機能モジュールとともに収納されても構わない。また、柱700の収納スペース701や壁710の収納スペース711に複数の機能モジュールが収納されても構わない。
【符号の説明】
【０１０３】
１  門柱本体(構造物)
10  コンセントモジュール
11  筐体
100  表示モジュール(機能モジュール)
101  筐体
【図１】
2012105375.tif 000003
【図２】
2012105375.tif 000004
【図３】
2012105375.tif 000005
【図４】
2012105375.tif 000006
【図５】
2012105375.tif 000007
【図６】
2012105375.tif 000008
【図７】
2012105375.tif 000009
【図８】
2012105375.tif 000010
【図９】
2012105375.tif 000011
【図１０】
2012105375.tif 000012
【図１１】
2012105375.tif 000013
【図１２】
2012105375.tif 000014
【図１３】
2012105375.tif 000015
【図１４】
2012105375.tif 000016
【図１５】
2012105375.tif 000017
【図１６】
2012105375.tif 000018
【図１７】
2012105375.tif 000019
【図１８】
2012105375.tif 000020
【図１９】
2012105375.tif 000021
【図２０】
2012105375.tif 000022
【図２１】
2012105375.tif 000023
【図２２】
2012105375.tif 000024
【図２３】
2012105375.tif 000025
【図２４】
2012105375.tif 000026
【手続補正書】
【提出日】平成23年6月13日(2011.6.13)
【手続補正１】
【補正対象書類名】特許請求の範囲
【補正対象項目名】請求項１
【補正方法】変更
【補正の内容】
【請求項１】
縦長の本体内に収納されることで電気自動車用充電装置を構成する電気自動車用充電装置のモジュールであって、電気自動車に充電するための充電ケーブルのプラグが挿抜自在に接続されるコンセントと、当該コンセントを収納する箱形の筐体とを備え、当該筐体は、造営材若しくは構造物に設けられる収納スペースに収納されることを特徴とする電気自動車用充電装置のモジュール。
【手続補正２】
【補正対象書類名】明細書
【補正対象項目名】０００７
【補正方法】変更
【補正の内容】
【０００７】
本発明の電気自動車用充電装置のモジュールは、縦長の本体内に収納されることで電気自動車用充電装置を構成する電気自動車用充電装置のモジュールであって、電気自動車に充電するための充電ケーブルのプラグが挿抜自在に接続されるコンセントと、当該コンセントを収納する箱形の筐体とを備え、当該筐体は、造営材若しくは構造物に設けられる収納スペースに着脱自在に収納されることを特徴とする。
【手続補正書】
【提出日】平成23年11月7日(2011.11.7)
【手続補正１】
【補正対象書類名】特許請求の範囲
【補正対象項目名】請求項２
【補正方法】変更
【補正の内容】
【請求項２】
縦長の本体内に収納されることで電気自動車用充電装置を構成する電気自動車用充電装置のモジュールであって、電気自動車に充電するための充電ケーブルのプラグが挿抜自在に接続されるコンセント以外の機能を実現するための手段と、当該手段を収納する箱形の筐体とを備え、当該筐体は、造営材若しくは構造物に設けられる収納スペースに収納されることを特徴とする電気自動車用充電装置のモジュール。
【手続補正２】
【補正対象書類名】明細書
【補正対象項目名】０００８
【補正方法】変更
【補正の内容】
【０００８】
本発明の電気自動車用充電装置のモジュールは、縦長の本体内に収納されることで電気自動車用充電装置を構成する電気自動車用充電装置のモジュールであって、電気自動車に充電するための充電ケーブルのプラグが挿抜自在に接続されるコンセント以外の機能を実現するための手段と、当該手段を収納する箱形の筐体とを備え、当該筐体は、造営材若しくは構造物に設けられる収納スペースに収納されることを特徴とする。